Podtech/llm-jp-corpus-v4-ja_patent huggingface dataset:
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、第２、第３、第４レンズ群を移動させてズーミングを行うズームレンズであって、該第３レンズ群の最も物体側に配置されたレンズは、物体側の面が凸形状であり、該３レンズ群の最も物体側に配置されたレンズの物体側頂点と、該レンズの物体側の面と外周部との交点との間に、開放Ｆナンバーの光束を決定するＦナンバー決定部材を有していることを特徴とするズームレンズ。
【請求項２】
望遠端において、前記第２レンズ群の最も像側のレンズ面頂点と第３レンズ群の最も物体側のレンズ面頂点の間隔をＤ２３Ｔ、広角端における全系の焦点距離をｆｗとするとき、
４．５＜ １００・Ｄ２３Ｔ／ｆｗ ＜ １０
なる条件を満足することを特徴とする請求項１に記載のズ−ムレンズ。
【請求項３】
前記第３レンズ群の最も物体側のレンズの物体側の面頂点と前記Ｆナンバー決定部材との距離をＤＳ、広角端における全系の焦点距離をｆｗとするとき、
４．５＜ １００・ＤＳ／ｆｗ ＜ １０ 
なる条件を満足することを特徴とする請求項１または２に記載のズ−ムレンズ。
【請求項４】
前記第２レンズ群の最も像側のレンズは、物体側の面が凸形状の正レンズであることを特徴とする請求項１、２又は３に記載のズ−ムレンズ。
【請求項５】
前記第３レンズ群は、像側の面が凹形状の負レンズを有することを特徴とする請求項１から４のいずれか１項に記載のズ−ムレンズ。
【請求項６】
広角端と望遠端における全系の焦点距離、前記第２レンズ群の焦点距離を順にｆｗ、ｆｔ、ｆ２とするとき、
【数１】
2006285019.tif 000001
なる条件を満足することを特徴とする請求項１から５のいずれか１項に記載のズームレンズ。
【請求項７】
前記第３レンズ群の焦点距離をｆ３、広角端から望遠端へのズーミングにおける第１レンズ群の物体側への移動量をＭ１、広角端における全系の焦点距離をｆｗとするとき、
１．５＜ｆ３＜５．０
０．３＜Ｍ１／ｆｗ＜３．０
なる条件を満足することを特徴とする請求項１から６のいずれか１項に記載のズームレンズ。
【請求項８】
撮像素子に像を形成することを特徴とする請求項１から７のいずれか１項のズームレンズ。
【請求項９】
請求項１〜８のいずれか１項のズームレンズと該ズームレンズによって形成された像を受光する固体撮像素子を有していることを特徴とする撮像装置。
【手続補正２】
【補正対象書類名】明細書
【補正対象項目名】００２０
【補正方法】変更
【補正の内容】
【００２０】
本発明のズームレンズは、物体側より像側へ順に、正の屈折力の第１レンズ群、負の屈折力の第２レンズ群、正の屈折力の第３レンズ群、正の屈折力の第4レンズ群より構成され、第２、第３、第４レンズ群を移動させてズーミングを行うズームレンズであって、該第３レンズ群の最も物体側に配置されたレンズは、物体側の面が凸形状であり、該３レンズ群の最も物体側に配置されたレンズの物体側頂点と、該レンズの物体側の面と外周部との交点との間に、開放Ｆナンバーの光束を決定するＦナンバー決定部材を有していることを特徴としている。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
１種類以上の食品の名称及び前記食品毎に予め設定された所定摂取量に対応するエネルギー値を記憶する食品エネルギー記憶手段と，
前記食品の名称，前記食品毎の摂取量を変更する単位期間，特定の開始時点に対して前記単位期間あたりに変更する前記食品の摂取量を示す食品摂取増減量，前記開始時点から前記摂取量の変更を継続する継続期間，の入力を受け付ける入力手段と，
前記食品摂取増減量，前記単位期間，前記継続期間を用いて，前記継続期間あたりの前記食品の摂取量の変更に伴う前記エネルギー値の合計を摂取エネルギー差として算出する算出手段と，
前記摂取エネルギー差を表示する表示手段と，を有することを特徴とする健康管理支援システム。
【請求項２】
請求項１に記載の健康管理支援システムであって，
前記入力手段が前記摂取エネルギー差の目標となる目標摂取エネルギー差の入力を受け付け，予め順序付けられた１種類以上の前記食品の名称を記憶する食品抽出順序記憶手段と，前記目標摂取エネルギー差に応じて前記順序に従って前記食品，前記食品摂取増減量，前記単位期間を抽出する抽出手段と，を有し，
前記表示手段が前記抽出手段で抽出された前記食品，前記食品摂取増減量，前記単位期間を表示することを特徴とする健康管理支援システム。
【請求項３】
請求項１または請求項２に記載の健康管理支援システムであって，前記算出手段が，予め設定された人体内の脂肪の単位量あたりのエネルギーを示す脂肪エネルギーを用いて，前記摂取エネルギー差を体重変化量に，前記目標摂取エネルギー差を目標体重変化量に，それぞれ換算し，前記入力手段が前記目標体重変化量の入力を受け付け，前記表示手段が前記体重変化量を表示する，ことを特徴とする健康管理支援システム。
【請求項４】
１種類以上の運動の名称，前記運動毎に予め設定された所定の運動量と当該運動量において消費されるエネルギーを示す運動エネルギー，を記憶する運動エネルギー記憶手段と，前記運動の名称，前記運動毎の実施量を変更する単位期間，特定の開始時点に対して前記単位期間あたりに変更する前記運動の実施量を示す運動実施増減量，前記開始時点から前記実施量の変更を継続する継続期間，前記開始時点における体重，の入力を受け付ける入力手段と，前記運動実施増減量，前記単位期間，前記継続期間，前記開始時点における体重を用いて，前記継続期間あたりの前記運動の実施量の変更に伴う前記運動エネルギーの合計を消費エネルギー差として算出する算出手段と，前記消費エネルギー差を表示する表示手段と，を有することを特徴とする健康管理支援システム。
【請求項５】
請求項４に記載の健康管理支援システムであって，前記入力手段が前記消費エネルギー差の目標となる目標消費エネルギー差の入力を受け付け，予め順序付けられた１種類以上の前記運動の名称を記憶する運動抽出順序記憶手段と，前記目標消費エネルギー差に応じて前記順序に従って前記運動，前記運動実施増減量，前記単位期間を抽出する抽出手段と，
を有し，前記表示手段が前記抽出手段で抽出された前記運動，前記運動実施増減量，前記単位期間を表示することを特徴とする健康管理支援システム。
【請求項６】
請求項４または請求項５に記載の健康管理支援システムであって，前記算出手段が，予め設定された人体内の脂肪の単位量あたりのエネルギーを示す脂肪エネルギーを用いて，前記消費エネルギー差を体重変化量に，前記目標消費エネルギー差を目標体重変化量に，それぞれ換算し，前記入力手段が前記目標体重変化量の入力を受け付け，前記表示手段が前記体重変化量を表示する，ことを特徴とする健康管理支援システム。
【請求項７】
請求項１に記載の健康管理支援システムであって，請求項４に記載の特徴を有し，前記算
出手段が前記摂取エネルギー差と前記消費エネルギー差の合計を総エネルギー差として算
出し，前記表示手段が前記総エネルギー差を表示する，ことを特徴とする健康管理支援シ
ステム。
【請求項８】
請求項７に記載の健康管理支援システムであって，前記入力手段が前記総エネルギー差の目標となる目標総エネルギー差の入力を受け付け，予め順序付けられた１種類以上の前記食品及び運動の名称を記憶する食品運動抽出順序記憶手段と，前記目標総エネルギー差に応じて前記順序に従って前記食品，前記食品摂取増減量，前記運動，前記運動実施増減量，前記単位期間を抽出する抽出手段と，を有し，前記表示手段が前記抽出手段で抽出された前記食品，前記食品摂取増減量，前記運動，前記運動実施増減量，前記単位期間を表示することを特徴とする健康管理支援システム。
【請求項９】
請求項７または請求項８に記載の健康管理支援システムであって，前記算出手段が，予め設定された人体内の脂肪の単位量あたりのエネルギーを示す脂肪エネルギーを用いて，前記総エネルギー差を体重変化量に，前記目標総エネルギー差を目標体重変化量に，それぞれ換算し，前記入力手段が前記目標体重変化量の入力を受け付け，前記表示手段が前記体重変化量を表示する，ことを特徴とする健康管理支援システム。
【請求項１０】
請求項３または請求項６または請求項９に記載の健康管理支援システムであって，前記入力手段が前記開始時点における体重の入力を受け付け，前記算出手段が前記開始時点における体重と前記体重変化量を用いて前記継続期間の終了時点における予測体重を算出し，
前記表示手段が前記開始時点における体重と前記予測体重を表示する，ことを特徴とする健康管理支援システム。
【請求項１１】
請求項３または請求項６または請求項９に記載の健康管理支援システムであって，前記入力手段が前記開始時点よりも過去の時点における体重と前記開始時点における体重の入力を受け付け，前記算出手段が，前記過去の時点における体重，前記開始時点における体重，前記体重変化量，を用いて前記継続期間の終了時点における予測体重を算出し，前記表示手段が，前記過去の時点における体重，前記開始時点における体重，前記予測体重，を表示する，ことを特徴とする健康管理支援システム。
【請求項１２】
請求項１０または請求項１１に記載の健康管理支援システムであって，前記表示手段が，前記開始時点における体重と前記予測体重をグラフ形式で表示する，ことを特徴とする健康管理支援システム。
【請求項１３】
１種類以上の食品の名称，前記食品毎に予め設定された食品単位量，前記食品毎に含まれる1種類以上の栄養成分の名称，前記食品毎に前記食品単位量あたりに含まれる前記栄養成分の量を示す栄養成分値，を記憶する食品栄養成分記憶手段と，前記食品の名称，前記食品毎の摂取量を変更する単位期間，特定の開始時点に対して前記単位期間あたりに変更する前記食品の摂取量を示す食品摂取増減量，前記開始時点から前記摂取量の変更を継続する継続期間，の入力を受け付ける入力手段と，前記食品摂取増減量，前記単位期間，前記継続期間を用いて，前記継続期間あたりの前記食品の摂取量の変更に伴う前記栄養成分毎の前記栄養成分値の合計を摂取栄養成分量差として算出する算出手段と，前記栄養成分毎に前記摂取栄養成分量差を表示する表示手段と，を有することを特徴とする健康管理支援システム。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
解析対象のプログラムをもとに、指定された業務機能に対応するプログラムおよび物理データであって、当該業務機能を実行するプログラムおよび該プログラムの入出力となる物理データを特定することで業務仕様の作成を支援する業務仕様作成支援システムにおいて、
前記解析対象のプログラムと該プログラムに対応する物理データの入出力関係を格納する物理モデルデータベースと、
前記業務機能と該業務機能に関する論理データとの対応を格納する業務モデルデータベースと、
前記物理データと前記論理データとの対応及び前記業務機能と該業務機能を実行するプログラムの対応を格納する対応モデルデータベースと、
ユーザによって指定された業務機能をもとに、該指定された業務機能に対応する論理データを前記業務モデルデータベースから取得し、
該取得された論理データに対応する物理データを前記対応モデルデータベースから取得し、
前記物理モデルデータベースに格納されたプログラムと物理データの入出力関係に基づいて、前記取得された物理データを起点とした他の物理データおよびプログラムを含む経路を取得して、
該取得された経路に基づいて、指定された前記業務機能に対応するプログラムおよび物理データを特定し、
前記特定された前記プログラムおよび前記物理データと前記指定された業務機能との関係図を生成するデータ起点処理部とを備えることを特徴とする業務仕様作成支援システム。
【請求項２】
請求項１に記載の業務仕様作成支援システムにおいて、
前記経路の終点は、物理データであることを特徴とする業務仕様作成支援システム。
【請求項３】
請求項１に記載の業務仕様作成支援システムにおいて、
前記物理データの取得として、複数の物理データから構成される物理データ集合を取得し、
前記取得された物理データ集合を構成する物理データそれぞれを起点とする複数の経路からなる経路集合を取得し、
前記経路集合を構成する経路それぞれについて、当該経路に含まれる他の物理データのうち終点の物理データが、取得された前記物理データ集合を構成する物理データに含まれるか判断し、
前記終点の物理データが前記物理データ集合を構成する物理データに含まれる場合、当該終点の物理データを含む経路を構成するプログラムおよび物理データのそれぞれを、指定された前記業務機能に対応するプログラムおよび物理データとして特定することを特徴とする業務仕様作成支援システム。
【請求項４】
請求項３に記載の業務仕様作成支援システムにおいて、
前記データ起点処理部は、
指定された前記業務機能に対応するプログラムおよび物理データとして特定されたプログラムおよび物理データを、所定のマークと対応付けて、前記物理データモデルデータベースに格納することを特徴とする業務仕様作成支援システム。
【請求項５】
請求項４に記載の業務仕様作成支援システムにおいて、
前記関係図として、前記マークを前記物理データおよびプログラムに対応付けた表示情報を表示する表示部とを備えることを特徴とする業務仕様作成支援システム。
【請求項６】
請求項５に記載の業務仕様作成支援システムにおいて、
さらに、データベースに対するデータの登録／修正を実行するモデル登録／修正部を有し、
前記データ起点処理部は、前記マークが付されていないプログラムに対する前記業務機能との対応付けの指示および前記マークが付されていない物理データに対する論理データとの対応付けの指示を受け付け、
前記モデル登録／修正部は、受け付けられた前記指示に従った対応付けを実行することを特徴とする業務仕様作成支援システム。
【請求項７】
請求項５に記載の業務仕様作成支援システムにおいて、
前記表示部は、
前記関係図として、前記マークが付されていない物理データのうちで、前記マークの付されたプログラムから入力或いは出力される物理データ、
および／または、前記マークの付されている物理データのうちで、前記マークの付されていないプログラムから入力或いは出力される物理データ
に対して前記マークと異なる形状の第2のマークと対応付けて表示することを特徴とする業務仕様作成支援システム。
【請求項８】
請求項１に記載の業務仕様作成支援システムにおいて、
前記表示部は、
対応する前記物理データおよび論理データについて、前記論理データを示す枠線で前記物理データを囲んで表示し、
前記指定された前記業務機能に対応するものとして特定されたプログラムおよび物理データを、前記業務機能を示す枠線で囲んで表示することを特徴とする業務仕様作成支援システム。
【手続補正２】
【補正対象書類名】明細書
【補正対象項目名】０００７
【補正方法】変更
【補正の内容】
【０００７】
上記目的を達成するために本発明は、解析対象のプログラムと物理データの入出力関係を格納する物理モデルデータベースと、業務機能と論理データとの対応を格納する業務モデルデータベースと、物理データと論理データとの対応及び業務機能とそれを実行するプログラムの対応を格納する対応モデルデータベースと、これら各データベースに格納された情報をもとに、予め指定された業務機能と、その業務機能に対応する物理データやプログラムとの関係を示す構成を採用した。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
第１、第２のモジュールと、該第１のモジュールから該第２のモジュール内の関数への呼び出しを仲介し、当該呼び出しに応じた該第２のモジュールにおける処理ログを取得するための第３のモジュールとを実行する情報処理装置であって、
前記第１のモジュールにより呼び出し要求がなされた関数が、前記第２のモジュールに色情報を設定する色情報設定関数であるか否かを判定し、前記色情報設定関数である場合に、前記色情報を記憶する記憶制御手段と、
前記第１のモジュールにより呼び出し要求がなされた関数が、前記第２のモジュールに前記色情報設定関数によって設定された色情報を利用して所定の画像の出力を指示する画像出力関数であるか否かを判定し、前記画像出力関数である場合に、前記記憶制御手段によって記憶された色情報を前記所定の画像に関する画像情報と対応づけて履歴情報として出力する出力手段と
を備えることを特徴とする情報処理装置。
【請求項２】
第１、第２のモジュールと、該第１のモジュールから該第２のモジュール内の関数への呼び出しを仲介し、当該呼び出しに応じた該第２のモジュールにおける処理ログを取得するための第３のモジュールとを実行する情報処理装置であって、
前記第１のモジュールにより呼び出し要求がなされた関数が、前記第２のモジュールに色情報設定関数によって予め設定された色情報を利用して所定の画像の出力を指示する画像出力関数であるか否かを判定し、前記画像出力関数である場合に、予め設定された前記色情報を取得する色情報取得関数を呼び出して前記第２のモジュールから色情報を取得し、当該色情報を前記所定の画像に関する画像情報と対応づけて履歴情報として出力する出力手段とを備えることを特徴とする情報処理装置。
【請求項３】
前記色情報は有彩色であるか否かを判定する判定手段を更に備え、
前記出力手段は、前記判定手段により有彩色と判定された前記色情報を前記画像情報と対応づけて履歴情報として出力することを特徴とする請求項１又は２に記載の情報処理装置。
【請求項４】
前記画像情報は、前記画像出力関数が呼び出された時刻、前記所定の画像の形状に関する情報、前記所定の画像の位置に関する情報、前記第２のモジュールが前記画像出力関数呼び出しの戻り値を返した時刻、該戻り値、色情報の有無の少なくともいずれかを含むことを特徴とする請求項１乃至３のいずれか１項に記載の情報処理装置。
【請求項５】
前記出力手段により出力された履歴情報を分割し、１回の前記画像出力関数の呼び出しに伴って出力される前記履歴情報をレコードとして生成するレコード生成手段と、
前記レコード生成手段によって生成された前記レコードを前記画像情報の種類毎に一覧表示する表示手段と、
前記レコードをソートする基準となる前記画像情報の種類の指定を受け付ける指定受付手段と
を備え、
前記表示手段は、前記指定受付手段により指定された前記画像情報の種類毎に、前記レコード出力手段より出力されたレコードの内容をソートして再表示することを特徴とする請求項４に記載の情報処理装置。
【請求項６】
前記表示手段は所定の条件を満たす前記レコードの内容を強調表示することを特徴とする請求項５に記載の情報処理装置。
【請求項７】
第１、第２のモジュールと、該第１のモジュールから該第２のモジュール内の関数への呼び出しを仲介し、当該呼び出しに応じた該第２のモジュールにおける処理ログを取得するための第３のモジュールとを実行する情報処理装置の制御方法であって、
前記第１のモジュールにより呼び出し要求がなされた関数が、前記第２のモジュールに色情報を設定する色情報設定関数であるか否かを判定し、前記色情報設定関数である場合に、前記色情報を記憶手段に記憶する記憶制御工程と、
前記第１のモジュールにより呼び出し要求がなされた関数が、前記第２のモジュールに前記色情報設定関数によって設定された色情報を利用して所定の画像の出力を指示する画像出力関数であるか否かを判定し、前記画像出力関数である場合に、前記記憶制御工程によって前記記憶手段に記憶された色情報を前記所定の画像に関する画像情報と対応づけて履歴情報として出力する出力工程と
を備えることを特徴とする情報処理装置の制御方法。
【請求項８】
第１、第２のモジュールと、該第１のモジュールから該第２のモジュール内の関数への呼び出しを仲介し、当該呼び出しに応じた該第２のモジュールにおける処理ログを取得するための第３のモジュールとを実行する情報処理装置の制御方法であって、
前記第１のモジュールにより呼び出し要求がなされた関数が、前記第２のモジュールに色情報設定関数によって予め設定された色情報を利用して所定の画像の出力を指示する画像出力関数であるか否かを判定し、前記画像出力関数である場合に、予め設定された前記色情報を取得する色情報取得関数を呼び出して前記第２のモジュールから色情報を取得し、当該色情報を前記所定の画像に関する画像情報と対応づけて履歴情報として出力する出力工程とを備えることを特徴とする情報処理装置の制御方法。
【請求項９】
前記色情報は有彩色であるか否かを判定する判定工程を更に備え、
前記出力工程は、前記判定工程により有彩色と判定された前記色情報を前記画像情報と対応づけて履歴情報として出力することを特徴とする請求項７又は８に記載の情報処理装置の制御方法。
【請求項１０】
前記画像情報は、前記画像出力関数が呼び出された時刻、前記所定の画像の形状に関する情報、前記所定の画像の位置に関する情報、前記第２のモジュールが前記画像出力関数呼び出しの戻り値を返した時刻、該戻り値、色情報の有無の少なくともいずれかを含むことを特徴とする請求項７乃至９のいずれか１項に記載の情報処理装置の制御方法。
【請求項１１】
前記出力工程により出力された履歴情報を分割し、１回の前記画像出力関数の呼び出しに伴って出力される前記履歴情報をレコードとして生成するレコード生成工程と、
前記レコード生成工程によって生成された前記レコードを前記画像情報の種類毎に一覧表示する表示工程と、
前記レコードをソートする基準となる前記画像情報の種類の指定を受け付ける指定受付工程と
を備え、
前記表示工程は、前記指定受付工程により指定された前記画像情報の種類毎に、前記レコード出力工程より出力されたレコードの内容をソートして再表示することを特徴とする請求項１０に記載の情報処理装置の制御方法。
【請求項１２】
前記表示工程は所定の条件を満たす前記レコードの内容を強調表示することを特徴とする請求項１１に記載の情報処理装置の制御方法。
【請求項１３】
請求項７乃至１２のいずれか１項に記載の情報処理装置の制御方法をコンピュータに実行させるためのコンピュータプログラム。
【請求項１４】
請求項１３に記載のコンピュータプログラムを格納したコンピュータ読み取り可能な記憶媒体。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
現実物体と、当該現実物体を撮影した画像上に重畳表示する仮想物体との位置姿勢ずれを補正するための補正値を取得するキャリブレーション方法であって、
前記現実物体の位置姿勢を計測する計測工程と、
前記現実物体が移動可能な所定平面上に存在する仮想物体の画像を生成する仮想物体生成工程と、
前記現実物体を撮影した映像に、前記仮想物体の画像を重畳した合成画像を表示する表示工程と、
前記合成画像における前記現実物体の位置姿勢と前記仮想物体の位置姿勢が所定の関係を満たしたことを検出する検出工程と、
前記検出時の前記現実物体の位置姿勢と前記仮想物体の位置姿勢のずれを、前記現実物体の前記所定平面上の平行移動と前記所定平面に直交する方向を軸とした回転の組合わせにより表現することにより、前記補正値として取得する取得工程とを有することを特徴とするキャリブレーション方法。
【請求項２】
前記検出工程が、前記合成画像の観察者が入力する信号に基づいて、前記所定の関係を満たしたことを検出することを特徴とする請求項１記載のキャリブレーション方法。
【請求項３】
現実物体と、当該現実物体を撮影した画像上に重畳表示する仮想物体との位置姿勢ずれを補正するための補正値を取得するキャリブレーション方法であって、
予め定めた平面に沿った平行移動と前記平面に直交する方向を軸とした回転の組合わせにより移動可能な現実物体の位置と姿勢を計測する第１の計測工程と、
前記現実物体を観察者が装着する頭部装着型表示装置に設けたカメラにより撮影する撮影工程と、
前記カメラの位置姿勢を計測する第２の計測工程と、
前記第２の計測工程で計測された前記カメラの位置姿勢に基づいて、仮想物体を、当該仮想物体が前記予め定めた平面上に存在するものとして前記観察者に観察されるように描画する仮想物体生成工程と、
前記描画された仮想物体と前記カメラが撮影した画像とを合成して前記頭部装着型表示装置に表示させる合成表示工程と、
前記観察者による、前記現実物体が前記仮想物体と所定の位置関係を満たして観察されることを示す指示を検出する検出工程と、
前記指示が検出された時点における前記現実物体の位置姿勢と、前記仮想物体の位置姿勢のずれを前記補正値として取得する取得工程とを有することを特徴とするキャリブレーション方法。
【請求項４】
前記予め定めた平面が水平面であり、前記平面に直交する方向が鉛直方向であることを特徴とする請求項３記載のキャリブレーション方法。
【請求項５】
前記仮想物体生成工程が、前記第１の計測工程で計測された前記現実物体の位置姿勢に合わせて前記仮想物体を描画することを特徴とする請求項３又は請求項４記載のキャリブレーション方法。
【請求項６】
前記仮想物体生成工程が、前記取得した補正値を用いて補正した位置姿勢に合わせて前記仮想物体を描画することを特徴とする請求項３乃至請求項５のいずれか１項に記載のキャリブレーション方法。
【請求項７】
現実物体と、当該現実物体を撮影した画像上に重畳表示する仮想物体との位置姿勢ずれを補正するための補正値を取得するキャリブレーション装置であって、
前記現実物体の位置姿勢を計測する計測手段と、
前記現実物体が移動可能な所定平面上に存在する仮想物体の画像を生成する仮想物体生成手段と、
前記現実物体を撮影した映像に、前記仮想物体の画像を重畳した合成画像を表示する表示手段と、
前記合成画像における前記現実物体の位置姿勢と前記仮想物体の位置姿勢の合致を検出する検出手段と、
前記検出時の前記現実物体の位置姿勢と前記仮想物体の位置姿勢のずれを、前記現実物体の前記所定平面上の平行移動と前記所定平面に直交する方向を軸とした回転の組合わせにより表現することにより、前記補正値として取得する取得手段とを有することを特徴とするキャリブレーション装置。
【請求項８】
現実物体と、当該現実物体を撮影した画像上に重畳表示する仮想物体との位置姿勢ずれを補正するための補正値を取得するキャリブレーション装置であって、
予め定めた平面に沿った平行移動と前記平面に直交する方向を軸とした回転の組合わせにより移動可能な現実物体の位置と姿勢を計測する第１の計測手段と、
前記現実物体を観察者が装着する頭部装着型表示装置に設けたカメラにより撮影する撮影手段と、
前記カメラの位置姿勢を計測する第２の計測手段と、
前記第２の計測手段が計測した前記カメラの位置姿勢に基づいて、仮想物体を、当該仮想物体が前記予め定めた平面上に存在するものとして前記観察者に観察されるように描画する仮想物体生成手段と、
前記描画された仮想物体と前記カメラが撮影する画像とを合成して前記頭部装着型表示装置に表示させる合成表示手段と、
前記観察者による、前記現実物体が前記仮想物体と所定の位置関係を満たして観察されることを示す指示を検出する検出手段と、
前記指示が検出された時点における前記現実物体の位置姿勢と、前記仮想物体の位置姿勢のずれを前記補正値として取得する取得手段とを有することを特徴とするキャリブレーション装置。
【手続補正２】
【補正対象書類名】明細書
【補正対象項目名】０００７
【補正方法】変更
【補正の内容】
【０００７】
上述の目的は、現実物体と、当現実物体を撮影した画像上に重畳表示する仮想物体との位置姿勢ずれを補正するための補正値を取得するキャリブレーション方法であって、現実物体の位置姿勢を計測する計測工程と、現実物体が移動可能な所定平面上に存在する仮想物体の画像を生成する仮想物体生成工程と、現実物体を撮影した映像に、仮想物体の画像を重畳した合成画像を表示する表示工程と、合成画像における現実物体の位置姿勢と仮想物体の位置姿勢が所定の関係を満たしたことを検出する検出工程と、検出時の現実物体の位置姿勢と仮想物体の位置姿勢のずれを、現実物体の所定平面上の平行移動と所定平面に直交する方向を軸とした回転の組合わせにより表現することにより、補正値として取得する取得工程とを有することを特徴とするキャリブレーション方法によって達成される。
【手続補正３】
【補正対象書類名】明細書
【補正対象項目名】０００８
【補正方法】変更
【補正の内容】
【０００８】
また、上述の目的は、現実物体と、当現実物体を撮影した画像上に重畳表示する仮想物体との位置姿勢ずれを補正するための補正値を取得するキャリブレーション方法であって、予め定めた平面に沿った平行移動と平面に直交する方向を軸とした回転の組合わせにより移動可能な現実物体の位置と姿勢を計測する第１の計測工程と、現実物体を観察者が装着する頭部装着型表示装置に設けたカメラにより撮影する撮影工程と、カメラの位置姿勢を計測する第２の計測工程と、第２の計測工程で計測されたカメラの位置姿勢に基づいて、仮想物体を、当仮想物体が予め定めた平面上に存在するものとして観察者に観察されるように描画する仮想物体生成工程と、描画された仮想物体とカメラが撮影した画像とを合成して頭部装着型表示装置に表示させる合成表示工程と、観察者による、現実物体が仮想物体と所定の位置関係を満たして観察されることを示す指示を検出する検出工程と、指示が検出された時点における現実物体の位置姿勢と、仮想物体の位置姿勢のずれを補正値として取得する取得工程とを有することを特徴とするキャリブレーション方法によっても達成される。
【手続補正書】
【提出日】平成20年2月28日(2008.2.28)
【手続補正１】
【補正対象書類名】明細書
【補正対象項目名】００２６
【補正方法】変更
【補正の内容】
【００２６】
【数４】
2006285358.tif 000001
ここでｅｋは特定の投影されたエッジを表し、Ｍｅは投影されたエッジの総数を表す。さらに、
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
文字を含むコンテンツの描画データを出力する描画データ出力装置と、
前記コンテンツを表示体に表示させる画像表示装置とが、前記描画データを授受可能に接続された画像表示システムであって、
前記描画データ出力装置は、
前記文字を含むコンテンツの描画データを生成する描画データ生成手段と、
前記コンテンツの書誌情報データを生成する書誌データ生成手段と、
前記コンテンツの書誌情報データを前記コンテンツの描画データの所定位置に追加する書誌データ追加手段と
前記表示体上での前記コンテンツの書き換え方向を規定する書き換え方向規定手段と、
前記書き換え方向規定手段により規定された前記書き換え方向を示す情報を前記コンテンツの描画データに付加するデータ合成手段と、
前記コンテンツの描画データを出力するデータ出力手段と、
を有し、
前記画像表示装置は、
前記コンテンツの描画データを入力するデータ入力手段と、
前記コンテンツの描画データから前記書き換え方向を示す情報を抽出するデータ抽出手段と、
前記コンテンツの描画データを、前記書き換え方向に沿って、前記表示体の画素列毎に描画する描画手段と、
を有することを特徴とする画像表示システム。
【請求項２】
請求項１に記載の画像表示システムにおいて、
前記書誌データ追加手段は、
前記書き換え方向に従い最初に描画される位置に前記書誌情報データを追加することを特徴とする画像表示システム。
【請求項３】
請求項１または２に記載の画像表示システムにおいて、
前記書き換え方向を示す情報は、
前記コンテンツの表示方向と、
前記文字が縦書きあるいは横書きを示す文字の組み方と、
前記コンテンツをページ単位に分割して前記表示体上で一度に表示可能なページ数と、
を含み、
前記書き換え方向は、
前記表示体の平面視縦方向または横方向の何れか一方の方向と、
前記表示体上で前記画素列が書き換わる方向と、
を含むことを特徴とする画像表示システム。
【請求項４】
文字を含むコンテンツを表示体に表示させる画像表示装置であって、
前記文字を含むコンテンツの描画データを入力するデータ入力手段と、
前記コンテンツの描画データから前記コンテンツの書誌情報および前記コンテンツの描画データの書き換え方向を示す情報を抽出するデータ抽出手段と、
前記コンテンツの書誌情報データを生成する書誌データ生成手段と、
前記コンテンツの書誌情報データを前記コンテンツの描画データの所定位置に追加する書誌データ追加手段と、
前記コンテンツの描画データを前記書き換え方向に沿って、前記表示体の画素列毎に描画する描画手段と、
を備えることを特徴とする画像表示装置。
【請求項５】
請求項４に記載の画像表示装置において、
前記書誌データ追加手段は、
前記書き換え方向に従い最初に描画される位置に前記書誌情報データを追加することを特徴する画像表示装置。
【請求項６】
請求項４または５に記載の画像表示装置において、
前記書き換え方向を示す情報は、
前記コンテンツの表示方向と、
前記文字が縦書きあるいは横書きを示す文字の組み方と、
前記コンテンツをページ単位に分割して前記表示体上で一度に表示可能なページ数と、
を含み、
前記書き換え方向は、
前記表示体の平面視縦方向または横方向の何れか一方の方向と、
前記表示体上で前記画素列が書き換わる方向と、
を含むことを特徴とする画像表示装置。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
映像表示装置に表示される映像により情報を提供する方法であって、映像表示装置の周囲にいる人の音声を入力する第１のステップと、提供している映像と前記入力された音声の時間的変化の相関を調べることにより前記周囲にいる人の注視度を判断する第２のステップと、を備える情報提供方法。
【請求項２】
請求項１の情報提供方法であって、
前記注視度に基づいて次に出力する映像を制御する第３のステップを有することを特徴とする情報提供方法。
【請求項３】
請求項２記載の情報提供方法であって、
前記第１のステップにおいて異なる位置に設置される複数の音声入力装置で音声を入力し、該複数の音声入力装置からの入力に基づいて前記周囲にいる人の位置を推定する第４のステップを有し、
前記第３のステップでは、前記推定された位置に対応する前記映像表示装置の表示画面上の位置に、前記制御の結果である映像を、前記制御結果以外の映像と重ねて表示することを特徴とする情報提供方法。
【請求項４】
請求項２記載の情報提供方法であって、
前記注視度に基づいて出力した映像に対する操作入力を入力装置から受け付ける第５のステップと、該操作入力に基づいて前記次に出力する映像を制御する第６のステップを有することを特徴とする情報提供方法。
【請求項５】
映像により情報を提供する映像表示部と、該映像表示部の周囲にいる人の音声を入力する音声入力部と、提供している映像と前記入力された音声の時間的変化の相関を調べることにより前記周囲にいる人の注視度を判断する演算部と、を備える情報提供装置。
【請求項６】
請求項５記載の情報提供装置であって、前記演算部は、前記注視度に基づいて次に出力する映像を制御することを特徴とする情報提供装置。
【請求項７】
請求項６記載の情報提供装置であって、前記音声入力部は、異なる位置に設置される複数のマイクを含み、
前記演算部は、前記異なる位置に設置される複数の音声入力装置からの入力に基づいて前記周囲にいる人の位置を推定し、前記推定された位置に対応する前記映像表示部の表示画面上の位置に、前記制御の結果である映像を、前記制御結果以外の映像と重ねて表示するよう制御を行うことを特徴とする情報提供装置。
【請求項８】
請求項６記載の情報提供装置であって、前記注視度に基づいて出力した映像に対する操作入力を受け付けるユーザ入力部を有し、前記演算部は、該操作入力に基づいて前記次に出力する映像を制御する情報提供装置。
【請求項９】
映像により情報を提供する映像表示部と、該映像表示部の周囲にいる人の音声を入力する音声入力部と、該入力された音声からその音声の発話者の属性を推定し、該推定された属性情報に基づき次に出力する映像を制御する演算部と、を備える情報提供装置。
【請求項１０】
前記入力された音声から取り出す発話者の属性として、言語名、性別、年齢のうちの一つもしくは複数を取り出す手段を持つことを特徴とする請求項９記載の情報提供装置。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
基板上に発生した欠陥を修正する欠陥修正装置において、
前記基板を支持するステージ部と、
前記ステージ部に支持された前記基板全面を撮像するライン照明光源とラインＣＣＤカメラを有する欠陥検出ユニットと、
前記欠陥検出ユニットにより取得された前記基板の画像を処理して前記欠陥を検出して欠陥情報を取得する画像処理手段と、
前記画像処理手段により取得された前記欠陥の位置に移動して欠陥を修正する欠陥修正ユニットと、
前記ステージ部を跨いで架橋され、前記欠陥検出ユニットと前記欠陥修正ユニットを支持する門型支持部と、
少なくとも前記欠陥修正ユニットを前記門型支持部の水平梁部材に沿って移動させる第１の駆動手段と、
前記ステージ部と前記門型支持部を相対移動させる第２の駆動手段と、
を備えたことを特徴とする欠陥修正装置。
【請求項２】
前記欠陥検出ユニットと前記欠陥修正ユニットは、それぞれ個別の前記門型支持部に支持されることを特徴とする請求項１に記載の欠陥修正装置。
【請求項３】
前記欠陥検出ユニットと前記欠陥修正ユニットは、一つの前記門型支持部の水平梁部材の一方の側面と他方の側面に支持されることを特徴とする請求項１に記載の欠陥修正装置。
【請求項４】
前記門型支持部を一対設け、それぞれの門型支持部に前記欠陥検出ユニットと前記欠陥修正ユニットを設け、前記基板の半分の領域に対して欠陥検出と欠陥修正が行えるように前記一対の門型支持部を独立させて駆動制御することを特徴とする請求項１に記載の欠陥修正装置。
【請求項５】
前記門型支持部に複数種類の前記欠陥修正ユニットを設けたことを特徴とする請求項１乃至４のいずれかに記載の欠陥修正装置。
【請求項６】
ライン照明光源と前記ラインＣＣＤカメラは、前記ライン照明光源から前記基板に向けて所定の入射角度でライン状の照明光を照射し、前記基板からの光を所定の反射角度で前記ラインＣＣカメラにより撮像可能な相対位置に配置され、前記入射角度と前記反射角度を調整できるように少なくとも一方を回動可能に設けたことを特徴とする請求項１に記載の欠陥修正装置。
【手続補正２】
【補正対象書類名】明細書
【補正対象項目名】００１０
【補正方法】変更
【補正の内容】
【００１０】
本発明は、基板上に発生した欠陥を修正する欠陥修正装置において、前記基板を支持するステージ部と、前記ステージ部に支持された前記基板全面を撮像するライン照明光源とラインＣＣＤカメラを有する欠陥検出ユニットと、前記欠陥検出ユニットにより取得された前記基板の画像を処理して前記欠陥を検出して欠陥情報を取得する画像処理手段と、前記画像処理手段により取得された前記欠陥の位置に移動して欠陥を修正する欠陥修正ユニットと、前記ステージ部を跨いで架橋され、前記欠陥検出ユニットと前記欠陥修正ユニットを支持する門型支持部と、少なくとも前記欠陥修正ユニットを前記門型支持部の水平梁部材に沿って移動させる第１の駆動手段と、前記ステージ部と前記門型支持部を相対移動させる第２の駆動手段とを備える。
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
プラットフォームに非依存な設計図面を用いてプログラムコードを生成するプログラムコード生成装置であって、
前記設計図面における図面要素間の依存関係を解析する解析手段と、
前記解析手段によって解析された図面要素間の依存関係に基づいて、前記設計図面において変更すべき箇所を抽出する抽出手段と、
プラットフォームの情報を実行環境制約情報として取得する取得手段と、
前記抽出手段により抽出された箇所に関する情報と、前記取得手段により取得された実行環境制約情報とに基づいて、プログラムコードを生成するプログラムコード生成手段とを有することを特徴とするプログラムコード生成装置。
【請求項２】
前記抽出手段は、前記設計図面内の利用されていない機能を変更すべき箇所として抽出し、前記プログラムコード生成手段は、前記利用されていない機能のコードブロックを除去してプログラムコードを生成することを特徴とする請求項１に記載のプログラムコード生成装置。
【請求項３】
プラットフォームに非依存な設計図面を用いてプログラムコードを生成するプログラムコード生成方法であって、
前記設計図面における図面要素間の依存関係を解析する解析ステップと、
前記解析ステップにおいて解析された図面要素間の依存関係に基づいて、前記設計図面において変更すべき箇所を抽出する抽出ステップと、
プラットフォームの情報を実行環境制約情報として取得する取得ステップと、
前記抽出ステップにおいて抽出された箇所に関する情報と、前記取得ステップにおいて取得された実行環境制約情報とに基づいて、プログラムコードを生成するプログラムコード生成ステップとを有することを特徴とするプログラムコード生成方法。
【請求項４】
プラットフォームに非依存な設計図面を用いてプログラムコードを生成する処理をコンピュータに実行させるためのコンピュータプログラムであって、
前記設計図面における図面要素間の依存関係を解析する解析ステップと、
前記解析ステップにおいて解析された図面要素間の依存関係に基づいて、前記設計図面において変更すべき箇所を抽出する抽出ステップと、
プラットフォームの情報を実行環境制約情報として取得する取得ステップと、
前記抽出ステップにおいて抽出された箇所に関する情報と、前記取得ステップにおいて取得された実行環境制約情報とに基づいて、プログラムコードを生成するプログラムコード生成ステップとをコンピュータに実行させることを特徴とするコンピュータプログラム。
【手続補正２】
【補正対象書類名】明細書
【補正対象項目名】０００８
【補正方法】変更
【補正の内容】
【０００８】
本発明のプログラムコード生成装置は、プラットフォームに非依存な設計図面を用いてプログラムコードを生成するプログラムコード生成装置であって、前記設計図面における図面要素間の依存関係を解析する解析手段と、前記解析手段によって解析された図面要素間の依存関係に基づいて、前記設計図面において変更すべき箇所を抽出する抽出手段と、プラットフォームの情報を実行環境制約情報として取得する取得手段と、前記抽出手段により抽出された箇所に関する情報と、前記取得手段により取得された実行環境制約情報とに基づいて、プログラムコードを生成するプログラムコード生成手段とを有することを特徴とする。
【手続補正３】
【補正対象書類名】明細書
【補正対象項目名】０００９
【補正方法】変更
【補正の内容】
【０００９】
本発明のプログラムコード生成方法は、プラットフォームに非依存な設計図面を用いてプログラムコードを生成するプログラムコード生成方法であって、前記設計図面における図面要素間の依存関係を解析する解析ステップと、前記解析ステップにおいて解析された図面要素間の依存関係に基づいて、前記設計図面において変更すべき箇所を抽出する抽出ステップと、プラットフォームの情報を実行環境制約情報として取得する取得ステップと、前記抽出ステップにおいて抽出された箇所に関する情報と、前記取得ステップにおいて取得された実行環境制約情報とに基づいて、プログラムコードを生成するプログラムコード生成ステップとを有することを特徴とする。
【手続補正４】
【補正対象書類名】明細書
【補正対象項目名】００１０
【補正方法】変更
【補正の内容】
【００１０】
本発明のコンピュータプログラムは、プラットフォームに非依存な設計図面を用いてプログラムコードを生成する処理をコンピュータに実行させるためのコンピュータプログラムであって、前記設計図面における図面要素間の依存関係を解析する解析ステップと、
前記解析ステップにおいて解析された図面要素間の依存関係に基づいて、前記設計図面において変更すべき箇所を抽出する抽出ステップと、プラットフォームの情報を実行環境制約情報として取得する取得ステップと、前記抽出ステップにおいて抽出された箇所に関する情報と、前記取得ステップにおいて取得された実行環境制約情報とに基づいて、プログラムコードを生成するプログラムコード生成ステップとをコンピュータに実行させることを特徴とする。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
表示部と、前記表示部に配置され、操作者がタッチにより入力操作を行うタッチパネルと、前記タッチパネルへのタッチ操作によるタッチ位置の座標を検出するタッチ座標検出手段と、前記表示部に１又は複数の入力項目を表示するとともに、その表示位置に対応するタッチ位置の座標が、前記タッチ座標検出手段によって検出されたときに、前記入力項目が入力されたと判断する制御部と、を有し、
前記制御部は、前記タッチ座標検出手段によって検出されたタッチ位置の座標により、前記入力項目が確定できないときに、表示部の表示態様を変化させる制御部と、を備えることを特徴とするタッチパネル装置。
【請求項２】
前記制御部は、前記タッチ位置の座標に応じて、前記表示部の表示態様を変化させることを特徴とする請求項１に記載のタッチパネル装置。
【請求項３】
前記制御部は、前記タッチパネルの接触圧に応じて、前記表示部の表示態様を変化させることを特徴とする請求項１又は請求項２に記載のタッチパネル装置。
【請求項４】
前記制御部は、前記タッチパネルの接触時間に応じて、前記表示部の表示態様を異ならせることを特徴とする請求項１又は請求項２に記載のタッチパネル装置。
【請求項５】
操作者が入力操作を行うタッチパネルと、入力項目が表示される表示部と、タッチパネルによる入力操作に応じた処理を行う制御部とを有し、
前記制御部は、タッチパネルの入力操作による操作者が所望する処理が確定できない場合に入力項目を拡大表示することを特徴とするタッチパネル装置。
【請求項６】
操作者が入力操作を行うタッチパネルと、入力項目が表示される表示部と、タッチパネルによる入力操作に応じた処理を行う制御部とを有し、
前記制御部は、タッチパネルの入力操作による操作者が所望する処理が確定できない場合に入力項目を拡大表示するとともに、該入力項目に対応してタッチパネル入力が可能であることを特徴とするタッチパネル装置。
【請求項７】
操作者が入力操作を行うタッチパネルと、表示部と、タッチパネルによる入力操作に応じた処理を行う制御部とを有し、
前記制御部は、タッチパネルの入力操作による処理が確定できない場合に、前記表示部にエラーメッセージを表示することを特徴とするタッチパネル装置。
【請求項８】
操作者が入力操作を行うタッチパネルと、表示部と、タッチパネルによる入力操作に応じた処理を行う制御部とを有し、
前記制御部は、タッチパネルの入力操作による処理が確定できない場合に、表示内容の少なくとも一部を拡大表示することを特徴とするタッチパネル装置。
【請求項９】
１又は複数の入力項目を表示する表示部と、前記表示部に配置され、操作者がタッチにより入力操作を行うタッチパネルと、を備えたタッチパネル装置における利用者の操作処理を支援するタッチパネル装置の操作支援方法であって、
前記タッチパネルへのタッチ操作によるタッチ位置の座標を検出するステップと、
前記で検出したタッチ位置の座標が入力項目の表示位置に対応するか否かを判別するステップと、
前記表示位置とタッチ位置の座標が入力項目の表示位置に対応しないときに、表示部の表示態様を変化させるステップと、を備えることを特徴とするタッチパネル装置の操作支援方法。
【請求項１０】
１又は複数の入力項目を表示する表示部と、前記表示部に配置されタッチパネルと、を備えたタッチパネル装置における利用者の操作処理を支援するタッチパネル装置の操作支援プログラムであって、
前記タッチパネルへのタッチ操作によるタッチ位置の座標を検出するステップと、
前記で検出したタッチ位置の座標が入力項目の表示位置に対応するか否かを判別するステップと、
前記タッチ位置の座標が前記入力項目の表示位置に対応しないときに、表示部の表示態様を変化させるステップと、をコンピュータによって実行可能なタッチパネル装置の操作支援プログラム。
【手続補正２】
【補正対象書類名】明細書
【補正対象項目名】００１２
【補正方法】変更
【補正の内容】
【００１２】
本発明は、前記問題に鑑みて以下のように構成されている。すなわち、本発明は、表示部と、前記表示部に配置され、操作者がタッチにより入力操作を行うタッチパネルと、前記タッチパネルへのタッチ操作によるタッチ位置の座標を検出するタッチ座標検出手段と、表示部に１又は複数の入力項目を表示するとともに、その表示位置に対応するタッチ位置の座標が、前記タッチ座標検出手段によって検出されたときに、前記入力項目が入力されたと判断する制御部と、を有し、前記制御部は、前記タッチ座標検出手段によって検出されたタッチ位置の座標により、前記入力項目が確定できないときに、表示部の表示態様を変化させる制御部と、を備えることを特徴とするタッチパネル装置である。また、本発明は、操作者が入力操作を行うタッチパネルと、入力項目が表示される表示部と、タッチパネルによる入力操作に応じた処理を行う制御部とを有し、前記制御部は、タッチパネルの入力操作による操作者が所望する処理が確定できない場合に入力項目を拡大表示することを特徴とするタッチパネル装置である。また、本発明は、操作者が入力操作を行うタッチパネルと、入力項目が表示される表示部と、タッチパネルによる入力操作に応じた処理を行う制御部とを有し、前記制御部は、タッチパネルの入力操作による操作者が所望する処理が確定できない場合に入力項目を拡大表示するとともに、該入力項目に対応してタッチパネル入力が可能であることを特徴とするタッチパネル装置である。また、本発明は、操作者が入力操作を行うタッチパネルと、表示部と、タッチパネルによる入力操作に応じた処理を行う制御部とを有し、前記制御部は、タッチパネルの入力操作による処理が確定できない場合に、前記表示部にエラーメッセージを表示することを特徴とするタッチパネル装置である。また、本発明は、操作者が入力操作を行うタッチパネルと、表示部と、タッチパネルによる入力操作に応じた処理を行う制御部とを有し、前記制御部は、タッチパネルの入力操作による処理が確定できない場合に、表示内容の少なくとも一部を拡大表示することを特徴とするタッチパネル装置である。